(57)【要約】【課題】第１媒体よりも幅狭の第２媒体がその向きを間違えて第２導入口に挿入されることを抑制できる、画像読取装置および搬送装置を提供する。【解決手段】筐体２には、下部筐体１３の前面１３Ｆから導入側に向けて凹む下溝部１１５が形成されている。上部筐体１４には、回動部材４が設けられている。回動部材４は、左右方向に延びる回動軸１１１を支点に、先端部が下溝部１１５に入り込んだ閉位置と先端部が下溝部１１５から抜け出した開位置との間で回動可能である。回動部材４は、閉位置において、カード導入口１２１を上下方向に横切る。【選択図】図２
2014069924.tif 000002
【特許請求の範囲】
【請求項１】
読取部と、
第１筐体と第２筐体とを備え、前記第１筐体と前記第２筐体との間に、前記読取部に対し第１方向の一方側である導入側に位置し、第１媒体が導入されるように構成される第１導入口と、前記読取部に対し前記第１方向における前記導入側と反対側である排出側に位置し、前記第１媒体が排出されるように構成される第１排出口と、前記第１導入口から前記第１排出口へ前記第１媒体が搬送されるように構成される第１搬送路と、が形成され、更に前記第１排出口と少なくとも一部重複して設けられ、前記第１媒体よりも幅狭の第２媒体が導入されるように構成される第２導入口と、前記第２導入口に導入される前記第２媒体が搬送されるように構成される第２搬送路と、が形成され、更に前記第１筐体および前記第２筐体の一方において、前記排出側から前記導入側に向けて凹む溝部が形成された筐体と、
前記第１筐体および前記第２筐体の他方に設けられ、前記第１方向と直交する第２方向に延びる回動軸を支点に、先端部が前記溝部に入り込んだ閉位置と前記先端部が前記溝部から抜け出した開位置との間で回動可能に設けられ、前記閉位置で前記第２導入口を横切る回動部材と、を備え、
前記読取部は、前記第１搬送路を搬送される前記第１媒体の画像および前記第２搬送路を搬送される前記第２媒体の画像を読み取るように構成される、画像読取装置。
【請求項２】
前記溝部は、前記第２方向に間隔を空けて前記第１筐体および前記第２筐体の一方に形成される一対の溝であり、
前記回動部材は、前記第２方向に間隔を空けて、前記第１筐体および前記第２筐体の他方に一対設けられており、
一対の前記回動部材は、前記回動軸で連結され、
一対の前記回動部材は、前記回動軸を支点に、各々の先端部が一対の前記溝部の各々に入り込んだ閉位置と各々の前記先端部が一対の前記溝部の各々から抜け出した開位置との間で回動可能に設けられ、各々前記閉位置で前記第２導入口を横切る、請求項１に記載の画像読取装置。
【請求項３】
前記回動軸は、前記第１筐体および前記第２筐体の他方の内部に配置されている、請求項１または２に記載の画像読取装置。
【請求項４】
前記第１筐体は、前記第２筐体の上方に設けられ、
前記回動軸は、前記第１筐体に設けられる、請求項１〜３のいずれか一項に記載の画像読取装置。
【請求項５】
前記第１筐体は、前記第２筐体の上方に設けられ、
前記第２筐体は、前記導入側から前記排出側に向けて下方に傾斜する傾斜部を備え、
前記第１導入口は、前記第２筐体の前記傾斜部と前記第１筐体との間に形成され、
前記第２搬送路の前記導入側の一部である独立パスは、前記傾斜部の下方に配置され、前記第２筐体に形成され、
前記第１搬送路は、前記第２搬送路の前記排出側の一部である共通パスを含み、
前記第２筐体には、前記第２搬送路の前記独立パスと前記共通パスとの間に前記第２媒体が通過可能な通過口が形成される、請求項１〜４のいずれか１項に記載の画像読取装置。
【請求項６】
前記第１導入口は、前記第２媒体が排出されるように構成される第２排出口を兼ね、
前記第２導入口から導入される前記第２媒体は、前記第２搬送路を前記排出側から前記導入側へ搬送された後、前記導入側から前記排出側へ搬送されて、前記第２排出口を兼ねる前記第１導入口から排出されるように構成される請求項１〜５のいずれか１項に記載の画像読取装置。
【請求項７】
搬送ローラと、
第１筐体と第２筐体とを備え、前記第１筐体と前記第２筐体との間に、前記搬送ローラに対し第１方向の一方側である導入側に位置し、第１媒体が導入されるように構成される第１導入口と、前記搬送ローラに対し前記第１方向における前記導入側と反対側である排出側に位置し、前記第１媒体が排出されるように構成される第１排出口と、前記第１導入口から前記第１排出口へ前記第１媒体が搬送されるように構成される第１搬送路と、が形成され、更に前記第１排出口と少なくとも一部重複して設けられ、前記第１媒体よりも幅狭の第２媒体が導入されるように構成される第２導入口と、前記第２導入口に導入される前記第２媒体が搬送されるように構成される第２搬送路と、が形成され、更に前記第１筐体および前記第２筐体の一方において、前記排出側から前記導入側に向けて凹む溝部が形成された筐体と、
前記第１筐体および前記第２筐体の他方に設けられ、前記第１方向と直交する第２方向に延びる回動軸を支点に、先端部が前記溝部に入り込んだ閉位置と前記先端部が前記溝部から抜け出した開位置との間で回動可能に設けられ、前記閉位置で前記第２導入口を横切る回動部材と、を備え、
前記搬送ローラは、前記第１媒体または前記第２媒体を搬送するように構成される、搬送装置。
【発明の詳細な説明】
【技術分野】
【０００１】
本発明は、画像読取装置および搬送装置に関する。
【背景技術】
【０００２】
特許文献１に開示されている画像読取装置の筐体の背面側には、シートを導入するための導入口が形成されている。一方、筐体の前面側には、シートを排出するための排出口が形成されている。そして、筐体の内部には、導入口から排出口に至る搬送路が形成されている。搬送路には、画像読取ユニットが設けられている。また、画像読取ユニットの導入口側および排出口側には、それぞれ搬送ローラ対が設けられている。
【０００３】
導入口から導入されるシートは、搬送ローラ対により、搬送路を搬送される。このシートの搬送の途中で、画像読取ユニットにより、シートの画像が読み取られる。
【０００４】
また、特許文献１に開示されている画像読取装置は、シートよりも幅狭なカードに描かれている画像をも読み取ることができる。具体的には、排出口の一部は、カードを導入するカード導入口およびカードを排出するためのカード排出口を兼ねている。また、搬送ローラ対を一方向および他方向の両方向に回転駆動するための機構が設けられている。
【０００５】
カード導入口にカードが挿入されると、搬送ローラ対がシートの搬送時とは逆方向に回転駆動されて、搬送ローラ対により、カードがカード導入口内に引き込まれる。そして、カードが画像読取ユニットを通過すると、搬送ローラ対の回転方向が反転されて、搬送ローラ対がシートの搬送時と同方向に回転駆動される。これにより、カードの搬送方向が反転され、カードがカード排出口に向けて搬送される。このカードの搬送の途中で、画像読取ユニットにより、カードの画像が読み取られる。
【先行技術文献】
【特許文献】
【０００６】
【特許文献１】特開２０１２−１００１１５号公報
【発明の概要】
【発明が解決しようとする課題】
【０００７】
ところが、シートを排出する排出口の一部がカード導入口を兼ねている。シートはカードよりも幅広であるため、排出口はカード導入口以上の幅を備え得る。したがって、カードの長辺を先頭としたカードの向き（以後、「横向き」と記す）で、カードがカード導入口に挿入されるおそれがある。カードが横カード向きでカード導入口に挿入されると、カードの搬送が途中で阻害され、いわゆるジャムなどの搬送異常を生じてしまう可能性がある。
【０００８】
本発明の目的は、第１媒体よりも幅狭の第２媒体がその向きを間違えて第２導入口に挿入されることを抑制できる、画像読取装置および搬送装置を提供することである。
【課題を解決するための手段】
【０００９】
前記の目的を達成するため、本発明の一の局面に係る画像読取装置は、読取部と、第１筐体と第２筐体とを備え、前記第１筐体と前記第２筐体との間に、前記読取部に対し第１方向の一方側である導入側に位置し、第１媒体が導入されるように構成される第１導入口と、前記読取部に対し前記第１方向における前記導入側と反対側である排出側に位置し、前記第１媒体が排出されるように構成される第１排出口と、前記第１導入口から前記第１排出口へ前記第１媒体が搬送されるように構成される第１搬送路と、が形成され、更に前記第１排出口と少なくとも一部重複して設けられ、前記第１媒体よりも幅狭の第２媒体が導入されるように構成される第２導入口と、前記第２導入口に導入される前記第２媒体が搬送されるように構成される第２搬送路と、が形成され、更に前記第１筐体および前記第２筐体の一方において、前記排出側から前記導入側に向けて凹む溝部が形成された筐体と、前記第１筐体および前記第２筐体の他方に設けられ、前記第１方向と直交する第２方向に延びる回動軸を支点に、先端部が前記溝部に入り込んだ閉位置と前記先端部が前記溝部から抜け出した開位置との間で回動可能に設けられ、前記閉位置で前記第２導入口を横切る回動部材と、を備え、前記読取部は、前記第１搬送路を搬送される前記第１媒体の画像および前記第２搬送路を搬送される前記第２媒体の画像を読み取るように構成される。
【００１０】
第１媒体が第１排出口から排出されるときには、第１媒体の先端で回動部材が押されて、回動部材の先端部が持ち上げられることにより、第１排出口が開放される。そのため、第１媒体のスムーズな排出が回動部材によって妨げられる可能性を低減でき、第１媒体がスムーズに排出され得る。
【００１１】
また、回動部材が閉位置に位置するときには、回動部材の先端部が溝部に入り込んでいるので、回動部材の先端部が使用者の手指で触れられる可能性を低減できる。そのため、回動部材の先端部が使用者の手指で持ち上げられることを抑制できる。その結果、第１媒体よりも幅狭の第２媒体がその向きを間違えて第２導入口に挿入されることを抑制できる。
【００１２】
溝部は、第２方向に間隔を空けて第１筐体および第２筐体の一方に形成される一対の溝であってもよい。この場合、回動部材は、第２方向に間隔を空けて、第１筐体および第２筐体の他方に一対設けられる。一対の回動部材は、回動軸で連結されて、回動軸を支点に、各先端部が溝部に入り込んだ閉位置と各先端部が溝部から抜け出した開位置との間で回動可能に設けられている。
【００１３】
一対の回動部材が閉位置に位置するときには、各回動部材が第２導入口を横切る。従って、一対の回動部材の間隔を第２媒体の短辺の長さに基づいて設計しておくことで、一対の回動部材が閉位置に位置する状態で第２媒体が横向きで挿入されるようとすると、第２媒体の長辺が一対の回動部材に当接し得る。そのため、第２媒体が横向きで第２導入口に導入される可能性を低減することが出来る。
【００１４】
回動軸は、第１筐体および第２筐体の他方の内部に配置されていることが好ましい。
【００１５】
これにより、回動軸が使用者の手指で回されることを抑制できる。その結果、回動部材の先端部が持ち上げられることを一層抑制できる。
【００１６】
第１筐体は、第２筐体の上方に設けられていてもよく、この場合、回動軸は、第１筐体に設けられることが好ましい。この場合、回動部材は、重力によって下方に垂れ下がり、通常、閉位置に位置する。
【００１７】
よって、回動部材が開位置に保持されることを抑制できる。
【００１８】
第１筐体は、第２筐体の上方に設けられ、第２筐体は、導入側から排出側に向けて下方に傾斜する傾斜部を備え、第１導入口は、第２筐体の傾斜部と第１筐体との間に形成され、第２搬送路の導入側の一部である独立パスは、傾斜部の下方に配置され、第２筐体に形成され、第１搬送路は、第２搬送路の排出側の一部である共通パスを含み、下ガイドには、第２搬送路の独立パスと共通パスとの間に第２媒体が通過可能な通過口が形成されていてもよい。
【００１９】
第１導入口は、第２媒体が排出されるように構成される第２排出口を兼ね、第２導入口から導入される第２媒体は、第２搬送路を排出側から導入側へ搬送された後、導入側から排出側へ搬送されて、第２排出口を兼ねる第１導入口から排出されるように構成されていてもよい。
【００２０】
また、本発明の他の局面に係る搬送装置は、搬送ローラと、第１筐体と第２筐体とを備え、前記第１筐体と前記第２筐体との間に、前記搬送ローラに対し第１方向の一方側である導入側に位置し、第１媒体が導入されるように構成される第１導入口と、前記搬送ローラに対し前記第１方向における前記導入側と反対側である排出側に位置し、前記第１媒体が排出されるように構成される第１排出口と、前記第１導入口から前記第１排出口へ前記第１媒体が搬送されるように構成される第１搬送路と、が形成され、更に前記第１排出口と少なくとも一部重複して設けられ、前記第１媒体よりも幅狭の第２媒体が導入されるように構成される第２導入口と、前記第２導入口に導入される前記第２媒体が搬送されるように構成される第２搬送路と、が形成され、更に前記第１筐体および前記第２筐体の一方において、前記排出側から前記導入側に向けて凹む溝部が形成された筐体と、前記第１筐体および前記第２筐体の他方に設けられ、前記第１方向と直交する第２方向に延びる回動軸を支点に、先端部が前記溝部に入り込んだ閉位置と前記先端部が前記溝部から抜け出した開位置との間で回動可能に設けられ、前記閉位置で前記第２導入口を横切る回動部材と、を備え、前記搬送ローラは、前記第１媒体または前記第２媒体を搬送するように構成される。
【００２１】
第１媒体が第１排出口から排出されるときには、第１媒体の先端で回動部材が押されて、回動部材の先端部が持ち上げられることにより、第１排出口が開放される。そのため、第１媒体のスムーズな排出が回動部材によって妨げられる可能性を低減でき、第１媒体がスムーズに排出され得る。
【００２２】
また、回動部材が閉位置に位置するときには、回動部材の先端部が溝部に入り込んでいるので、回動部材の先端部が手指で触れられる可能性を低減できる。そのため、使用者が第２媒体を第２導入口に挿入するときに、使用者が回動部材の先端部を手指で持ち上げることを抑制できる。
【発明の効果】
【００２３】
本発明によれば、回動部材の先端部が使用者の手指で持ち上げられることを抑制でき、第１媒体よりも幅狭の第２媒体がその向きを間違えて第２導入口に挿入されることを抑制できる。
【図面の簡単な説明】
【００２４】
【図１Ａ】図１Ａは、本発明の一実施形態に係る画像読取装置１の左前上方から見た斜視図であり、カバー３が閉じられた状態を示す。
【図１Ｂ】図１Ｂは、画像読取装置１の右後上方から見た斜視図であり、カバー３が閉じられた状態を示す。
【図２】図２は、画像読取装置１の右前上方から見た斜視図であり、カバー３が開かれた状態を示す。
【図３】図３は、画像読取装置１の平面図であり、カバー３が開かれるとともに、上部筐体１４がメンテナンス位置に配置された状態を示す。
【図４】図４は、画像読取装置１の断面図である。
【図５】図５は、シート排出口２０２とカード導入口１２１とが少なくとも一部において重複していることを概略的に示すための説明図である。
【発明を実施するための形態】
【００２５】
以下では、本発明の実施の形態について、添付図面を参照しつつ詳細に説明する。画像読取装置１は、本発明の画像読取装置および搬送装置の具体的態様の一例である。図１Ａでは、前カバー２２側を装置の前側と規定し、前カバー２２に対向した場合に左手に来る側を左側と規定して、前後、左右および上下の各方向を表示する。そして、図１Ｂ以降に示す各方向は、全て図１Ａに示す各方向に対応させて表示する。以下、図１Ａ等に基づいて、画像読取装置１が備える各構成要素について説明する。
【００２６】
＜外観＞
【００２７】
画像読取装置１は、筐体２およびカバー３を備えている。
【００２８】
＜筐体＞
【００２９】
筐体２は、左側板部１１、右側板部１２、下部筐体１３および上部筐体１４を備えている。
【００３０】
左側板部１１および右側板部１２は、左右方向に間隔を空けて配置されている。
【００３１】
下部筐体１３および上部筐体１４は、左側板部１１と右側板部１２との間に配置されている。
【００３２】
下部筐体１３は、左側板部１１および右側板部１２に対して固定されている。
【００３３】
上部筐体１４の左前下端部および右前下端部には、非図示の軸部がそれぞれ左側および右側に突出して形成されている。そして、左右の軸部がそれぞれ左側板部１１および右側板部１２に回動可能に支持されることにより、上部筐体１４は、図２に示される通常位置と図３に示されるメンテナンス位置との間で回動可能に設けられている。
【００３４】
上部筐体１４は、図２に示されるように、通常位置で、下部筐体１３に上方から重なる。通常位置に位置する上部筐体１４の上面１４Ｕは、左側板部１１および右側板部１２の各上面１１Ｕ，１２Ｕよりも一段低い位置に位置する。また、通常位置に位置する上部筐体１４の前面１４Ｆは、左側板部１１および右側板部１２の各前面１１Ｆ，１２Ｆよりも後側に位置する。
【００３５】
また、上部筐体１４は、図３に示すメンテナンス位置で、下部筐体１３に対して前側に展開して、下部筐体１３の前端部上から前上方に延びる。
【００３６】
＜カバー＞
【００３７】
カバー３は、上カバー２１および前カバー２２を備えている。
【００３８】
上カバー２１の基端部は、筐体２の左側板部１１および右側板部１２の後上端部に回動可能に支持されている。これにより、上カバー２１は、図１Ｂに示される閉位置と図２に示される開位置との間で回動可能に設けられている。
【００３９】
上カバー２１は、閉位置で、下部筐体１３および上部筐体１４に上方から重なる。
【００４０】
また、上カバー２１は、開位置で、筐体２の後上端部から後上方に延びる。
【００４１】
前カバー２２は、図１Ａに示される屈曲位置と図２に示される伸張位置との間で回動可能に設けられている。
【００４２】
また、前カバー２２は、伸張位置で、上カバー２１と略同一平面上を延びる。上カバー２１が開位置に位置し、前カバー２２が伸張位置に位置する状態で、上カバー２１および前カバー２２は、図２に示されるように、筐体２の後上端部から後上方に延び、筐体２内に送り込まれる第１媒体の一例としてのシートＳＨが載置されるトレイをなす。
【００４３】
下部筐体１３の後端縁３１は、下部筐体１３の前端縁３２よりも高い位置に位置している。下部筐体１３は、図３および図４に示されるように、傾斜部３３と、平坦部３４とを有している。傾斜部３３は、後端縁３１から前端縁３２と同じ高さの位置まで前下方に延びる。平坦部３４は、前端縁３２と同じ高さの位置で、傾斜部３３から前端縁３２まで延びる。
【００４４】
上部筐体１４の下面１４Ｂの後端縁７１は、図２に示されるように、下部筐体１３の傾斜部３３の上方に間隔を空けて位置する。下面１４Ｂの前端縁７２は、下部筐体１３の上面１３Ｕの前端縁３２の上方に間隔を空けて位置する。上部筐体１４は、図３および図４に示されるように、傾斜部７３と、平坦部７４とを有している。傾斜部７３は、後端縁７１から前端縁７２と同じ高さの位置まで、傾斜部３３と平行をなして前下方に延びる。平坦部３４は、前端縁７２と同じ高さの位置で、傾斜部７３から前端縁７２まで下部筐体１３の平坦部３４と平行をなして延びる。
【００４５】
シート導入口２０１とシート排出口２０２とシート搬送路２０３とが、上部筐体１４と下部筐体１３との間に形成されている。シート導入口２０１は、第１導入口の一例である。シート排出口２０２は、第１排出口の一例である。シート搬送路２０３は、第１搬送路の一例である。シート導入口２０１は、上部筐体１４の後端縁７１と下部筐体１３の傾斜部３３との間に形成され、後上方に開放されている。シート排出口２０２は、上部筐体１４の前端縁７２と下部筐体１３の前端縁３２との間に形成され、前方に開放されている。シート搬送路２０３は、シート導入口２０１とシート排出口２０２とを連結している。シート搬送路２０３は、上部筐体１４の傾斜部７３と下部筐体１３の傾斜部３３との間の空間、および上部筐体１４の平坦部７４と下部筐体１３の平坦部３４との間の空間である。
【００４６】
シート導入口２０１から導入されたシートＳＨは、筐体２内のシート搬送路２０３を通過して、シート排出口２０２から排出される。以下、このシートＳＨの流れに沿って、画像読取装置１が備える各構成の説明を行う。
【００４７】
画像読取装置１は、供給ローラ４１、分離片８１、ＬＦローラ４２、ＬＦピンチローラ８２、カードＬＦローラ４３、カードＬＦピンチローラ８３、第１読取部１００、第２読取部６０、排出ローラ４４、排出ピンチローラ８４、カード排出ローラ４５およびカード排出ピンチローラ８５を備えている。
【００４８】
供給ローラ４１は、図３に示されるように、２つのローラを備える。供給ローラ４１の２つのローラは回転軸５１に取り付けられている。供給ローラ４１は、傾斜部３３の左右方向の中央部に、配置されている。回転軸５１は、下部筐体１３の内部で左右方向に延び、下部筐体１３に回転可能に保持されている。
【００４９】
分離片８１は、たとえば、ゴムからなる。分離片８１の基端部は、上部筐体１４に取り付けられている。分離片８１は、供給ローラ４１の周面に弾性的に当接している。分離片８１と供給ローラ４１とにより、複数枚のシートＳＨが一枚に分離されて、搬送され得る。シートＳＨは、前方に向けて搬送される。従って、本実施形態において、前方がシート搬送方向における下流側であり、後方がシート搬送方向における上流側である
【００５０】
ＬＦローラ４２およびＬＦピンチローラ８２は、供給ローラ４１および分離片８１のシート搬送方向下流側に位置する。ＬＦローラ４２は、２つのローラを備える。ＬＦローラ４２の２つのローラは回転軸５３に取り付けられている。ＬＦピンチローラ８２は、２つのピンチローラを備える。ＬＦピンチローラ８２の２つのピンチローラは、回転軸９１に取り付けられている。ＬＦピンチローラ８２の周面は、図４に示されるように、ＬＦローラ４２の周面に上方から当接している。ＬＦローラ４２が回転駆動されると、ＬＦピンチローラ８２がＬＦローラ４２に従動して回転される。
【００５１】
カードＬＦローラ４３は、ＬＦローラ４２の右側に間隔を空けた位置に配置されている。カードＬＦローラ４３は、ＬＦローラ４２と共通の回転軸５３に取り付けられている。カードカードＬＦピンチローラ８３は、ＬＦピンチローラ８２の右側に間隔を空けた位置に配置されている。カードＬＦピンチローラ８３は、図３に示されるように、２つのピンチローラを備える。カードＬＦピンチローラ８３の２つのピンチローラは、回転軸９３に取り付けられている。カードＬＦピンチローラ８３の２つのピンチローラの周面は、図４に示されるように、それぞれ下部筐体１３のカードＬＦローラ４３の周面の左側および右側に微小な間隔を空けて隣接する。
【００５２】
また、画像読取装置１は、図４に示されるように、ＬＦローラ４２およびＬＦピンチローラ８２のシート搬送方向下流側において、第１読取部１００および第２読取部６０を備える。第１読取部１００は、Contact Image Sensor(以後、「ＣＩＳ」と記す）ホルダ１０１、ＣＩＳユニット１０２およびコンタクトガラス１０３を備えている。第２読取部６０は、ＣＩＳホルダ６１、ＣＩＳユニット６２、およびコンタクトガラス６３を備える。
【００５３】
読取部の一例としてのＣＩＳユニット６２は、ＣＩＳホルダ６１内に収容されている。ＣＩＳユニット６２の内部には、たとえば、ＬＥＤ光源、レンズおよびイメージセンサが設けられている。読取部の一例としてのＣＩＳユニット１０２は、ＣＩＳホルダ１０１内に収容されている。ＣＩＳユニット１０２の内部には、たとえば、ＬＥＤ光源、レンズおよびイメージセンサが設けられている。
【００５４】
コンタクトガラス６３は、無色透明のガラスからなる。コンタクトガラス６３は、ＣＩＳホルダ６１の上面を閉塞するように設けられて、ＣＩＳホルダ６１に保持されている。コンタクトガラス１０３は、無色透明のガラスからなる。コンタクトガラス１０３は、ＣＩＳホルダ１０１の下面を閉塞するように設けられて、ＣＩＳホルダ１０１に保持されている。
【００５５】
ＣＩＳホルダ６１は、ＣＩＳユニット６２およびコンタクトガラス６３を保持した状態で、下部筐体１３の平坦部３４に形成された開口６４に嵌められている。ＣＩＳホルダ１０１は、ＣＩＳユニット１０２およびコンタクトガラス１０３を保持した状態で、上部筐体１４の平坦部７４に形成された開口１０４に嵌められている。
【００５６】
ＬＦローラ４２およびＬＦピンチローラ８２により搬送されるシートＳＨの両面の画像は、第１読取部１００および第２読取部６０により読み取られる。
【００５７】
排出ローラ４４および排出ピンチローラ８４は、ＣＩＳユニット１０２およびＣＩＳユニット６２のシート搬送方向下流側に位置する。排出ローラ４４は、２つのローラを備える。排出ローラ４４の２つのピンチローラは、回転軸５６に取り付けられている。排出ピンチローラ８４は、２つのピンチローラを備える。排出ピンチローラ８４の２つのピンチローラは、回転軸９４に取り付けられている。排出ピンチローラ８４の周面は、図４に示されるように、排出ローラ４４の周面に上方から当接している。排出ローラ４４が回転駆動されると、排出ピンチローラ８４が排出ローラ４４に従動して回転される。
【００５８】
カード排出ローラ４５およびカード排出ピンチローラ８５は、ＣＩＳユニット１０２およびＣＩＳユニット６２のシート搬送方向下流側に位置する。カード排出ローラ４５は、２つのローラを備える。カード排出ローラ４５の２つのローラは、回転軸５６に取り付けられている。カード排出ピンチローラ８５は、２つのピンチローラを備える。カード排出ピンチローラ８５の２つのピンチローラは、回転軸９４に取り付けられている。カード排出ピンチローラ８５の周面は、図４に示されるように、カード排出ローラ４５の周面に上方から当接している。カード排出ローラ４５が回転駆動されると、カード排出ピンチローラ８５は、カード排出ローラ４５に従動して回転される。
【００５９】
＜回動部材＞
【００６０】
画像読取装置１は、図２および図４に示されるように、一対の回動部材４を備えている。
【００６１】
一対の回動部材４は、上部筐体１４の右前端部に、互いに左右方向に間隔を空けて設けられている。一対の回動部材４間の間隔は、国際標準化機構（ＩＳＯ）／国際電気標準会議（ＩＥＣ）による国際規格ＩＤ−１のカードサイズの短辺の長さ（５３．９８ｍｍ）よりも大きく、長辺の長さ（８５．６０ｍｍ）よりも小さい。左側の回動部材４は、カード排出ピンチローラ８５の左側に配置されている。右側の回動部材４は、カード排出ピンチローラ８５の右側に配置されている。
【００６２】
一対の回動部材４は、回動軸１１１で連結されている。回動軸１１１は、上部筐体１４に設けられている。回動軸１１１は、上部筐体１４の内部に配置されている。回動軸１１１は、左右方向に延び、上部筐体１４に回動可能に保持されている。回動軸１１１は、上部筐体１４の前面１４Ｆに左右方向に間隔を空けて形成された２つの上溝部１１２を左右方向に貫通している。各上溝部１１２は、上部筐体１４の前面１４Ｆおよび下面１４Ｂで開放されている。各回動部材４は、その基端部１１３が上溝部１１２内で回動軸１１１に取り付けられている。
【００６３】
各回動部材４の形状等を各回動部材４が図２に示す位置に位置する場合に基づいて説明する。各回動部材４は、回動軸１１１と直交する上下方向に延びる。各回動部材４は、回動軸１１１から各先端１１４まで、回動軸１１１から前下方向に延び、下方に延び、そして後下方に延びている。各回動部材４の先端部１１４は、下部筐体１３の前面１３Ｆに形成された溝部の一例としての下溝部１１５に入り込む。各下溝部１１５は、下部筐体１３の前面１３Ｆから後側に凹み、下部筐体１３の上面１３Ｕから下側に凹み、下部筐体１３の上面１３Ｕおよび前面１３Ｆで開放されている。そして、一対の回動部材４は、回動軸１１１を支点に、各先端部１１４が下溝部１１５に入り込んだ閉位置と各先端部１１４が下溝部１１５から前方に抜け出した開位置との間で回動可能に設けられている。
【００６４】
すなわち、上部筐体１４および下部筐体１３の一方である下部筐体１３における排出側の一例である前側の面１３Ｆから第１方向の一例である前後方向における前側から導入側の一例である後側に向けて凹む溝部の一例としての下溝部１１５が筐体２に形成されている。また、回動部材４は、上部筐体１４および下部筐体１３の他方である上部筐体１４に設けられ、上下方向および第１方向の一例である前後方向と直交する第２方向の一例である左右方向に延びる回動軸１１１を支点に、先端部１１４が下溝部１１５に入り込んだ閉位置と先端部１１４が下溝部１１５から抜け出した開位置との間で回動可能に設けられている。
【００６５】
下溝部１１５は、左右方向に間隔を空けて上部筐体１４および下部筐体１３の一方である下部筐体１３に形成される一対の溝である。回動部材４は、左右方向に間隔を空けて、上部筐体１４および下部筐体１３の他方である上部筐体１４に一対設けられている。そして、一対の回動部材４は、回動軸１１１で連結されている。一対の回動部材４は、回動軸１１１を支点に、各々の先端部１１４が一対の下溝部１１５の各々に入り込んだ閉位置と各々の先端部１１４が一対の下溝部１１５の各々から抜け出した開位置との間で回動可能に設けられている。
【００６６】
＜シート画像の読み取り＞
【００６７】
画像読取装置１におけるシートＳＨの画像の読み取りの際には、図２および図４に示されるように、上カバー２１が開位置に配置されるとともに、前カバー２２が伸張位置に配置される。そして、開位置の上カバー２１および伸張位置の前カバー２２がなすトレイ上に、シートＳＨが載置される。
【００６８】
トレイ上に載置されるシートＳＨは、その先端部が供給ローラ４１および分離片８１に当接するまで、シート導入口２０１内に差し込まれる。
【００６９】
その後、供給ローラ４１が右側から見て反時計回りに回転される。この供給ローラ４１の回転により、供給ローラ４１の周面からシートＳＨの下面に搬送力が付与され、シートＳＨがＬＦローラ４２，８２に向けて搬送される。シートＳＨの先端部が供給ローラ４１と分離片８１との間に挟まれたときに、シートＳＨが１枚ずつに分離され、１枚のシートＳＨのみが供給ローラ４１と分離片８１との間を通過する。
【００７０】
ＬＦローラ４２およびカードＬＦローラ４３は、右側から見て反時計回りに回転される。ＬＦピンチローラ８２およびカードＬＦピンチローラ８３は、右側から見て時計回りに回転する。供給ローラ４１と分離片８１との間を通過したシートＳＨの先端部がＬＦローラ４２およびカードＬＦローラ４３に到達すると、ＬＦローラ４２およびカードＬＦローラ４３により、シートＳＨに搬送力が付与される。
【００７１】
ＬＦローラ４２とＬＦピンチローラ８２との間およびカードＬＦローラ４３，カードＬＦピンチローラ８３との間を通過したシートＳＨは、コンタクトガラス６３，１０３上を通過する。このとき、コンタクトガラス６３，１０３上のシートＳＨにそれぞれＣＩＳユニット６２，１０２のＬＥＤ光源から光が照射される。そして、シートＳＨでの反射光がＣＩＳユニット６２，１０２のイメージセンサに受けられることにより、シートＳＨの両面に描かれている画像の読み取りが達成される。
【００７２】
排出ローラ４４およびカード排出ローラ４５は、右側から見て反時計回りに回転される。排出ピンチローラ８４およびカード排出ピンチローラ８５は、右側から見て時計回りに回転する。コンタクトガラス６３，１０３上を通過したシートＳＨの先端部が排出ローラ４４およびカード排出ローラ４５に到達すると、排出ローラ４４およびカード排出ローラ４５からシートＳＨに搬送力が付与される。
【００７３】
排出ローラ４４および排出ピンチローラ８４およびカード排出ローラ４５および排出ピンチローラ８５間を搬送されるシートＳＨは、シート排出口２０２を通過して、筐体２外に排出される。シートＳＨがシート排出口２０２から排出される前は、一対の回動部材４が閉位置に位置し、各回動部材４がシート排出口２０２を上下方向に横切っている。シート排出口２０２から排出されるシートＳＨの先端により、一対の回動部材４が後側から押され、一対の回動部材４が閉位置から開位置に持ち上げられる。一対の回動部材４は、シートＳＨの排出が完了するまで、開位置に持ち上げられた状態で保持される。この持ち上げられた状態において、一対の回動部材４の先端部は、図４の仮想線で示すように、下溝部１１５から前方に抜け出している。シートＳＨがシート排出口２０２から筐体２該に排出されると、一対の回動部材４は自重により閉位置に戻る。一対の回動部材４が閉位置に戻ると、一対の回動部材４の各先端部１１４は、図４の実線で示すように、下溝部１１５に入り込む。
【００７４】
＜カード画像の読み取り＞
【００７５】
画像読取装置１では、シートＳＨよりも幅狭のカードＣＡに描かれている画像を読み取ることができる。カードＣＡは、第２媒体の一例である。
【００７６】
カードＣＡの画像の読み取りのために、図２に示されるように、第２導入口および第２排出口の一例としてのカード導入口１２１が一対の回動部材４の間に形成されている。カード導入口１２１は、シート排出口２０２と一部重複して設けられている。本実施形態において、カード導入口１２１の下側の一部が、図２および図５に示すように、シート排出口２０２の右側の一部と重複している。すなわち、シートＳＨおよびカードＣＡの両方が、この重複部分ＯＬを通過可能である。カード導入口１２１は、下部筐体１３の上面１３Ｕおよび上部筐体１４の下面１４Ｂの各前端部がそれぞれ上方および下方に矩形状に切り欠かれることにより、上下方向にシート排出口２０２よりも少し大きな幅を有している。一対の回動部材４は、閉位置で第２導入口の一例であるカード導入口１２１を上下方向に横切る。
【００７７】
第２搬送路の一例としてのカード搬送路１２４が、下部筐体１３の平坦部３４と上部筐体１４の平坦部７４との間および下部筐体１３の傾斜部３３の下方に形成される。カード搬送路１２４は、下部筐体１３の平坦部３４と上部筐体１４の平坦部７４との間の空間である共通パスＣＰおよび下部筐体１３の傾斜部３３の下方の空間である独立パスＩＰとを含む。共通パスＣＰは、シート搬送路２０３の右側と重複している。従って、カードＣＡおよびシートＳＨの両方が、この空間を通過することが出来る。独立パスＩＰは、傾斜部３３と平坦部３４との間に形成されている。
【００７８】
図３および図４に示されるように、カード通過口１２２が下部筐体１３の傾斜部３３の前下端部と平坦部３４との間に形成されている。カード通過口１２２は、共通パスＣＰと独立パスＩＰとを結ぶ。従って、カード通過口１２２を通して、カードＣＡは、共通パスＣＰと独立パスＩＰとの間を行き来することができる。
【００７９】
カードＣＡの画像の読み取りの際には、一対の回動部材４が閉位置に位置した状態で、カードＣＡの短辺を先頭として、カードＣＡが一対の回動部材４の間を通してカード導入口１２１内に挿入される。
【００８０】
カード導入口１２１内にカードＣＡが挿入されると、カード排出ローラ４５が右側から見て時計回りに回転される。カード排出ピンチローラ８５は、カード排出ローラ４５の回転に伴って、右側から見て反時計回りに回転する。カード排出ローラ４５からカードＣＡに搬送力が付与され、そのカードＣＡがカード排出ローラ４５の周面とカード排出ピンチローラ８５の周面との間に引き込まれる。
【００８１】
その後、カードＣＡは、第１読取部１００と第２読取部６０との間を通過する。
【００８２】
カードＬＦローラ４３は、右側から見て時計回りに回転される。カードＬＦピンチローラ８３は、カードＬＦローラ４３の回転に伴って、右側から見て反時計回りに回転する。第１読取部１００と第２読取部６０との間を通過したシートＳＨの先端部がカードＬＦローラ４３の周面とカードＬＦピンチローラ８３の周面との間に到達すると、カードＬＦローラ４３からカードＣＡに搬送力が付与され、そのカードＣＡがカードＬＦローラ４３の周面とカードＬＦピンチローラ８３の周面との間に引き込まれる。
【００８３】
カードＣＡがカード通過口１２２を通過し、カードＣＡの先端部の反対側である後端部がカードＬＦローラ４３の周面とカードＬＦピンチローラ８３の周面との間に挟持される位置まで、カードＣＡの搬送が進むと、カードＬＦローラ４３およびカード排出ローラ４５の回転が停止される。カードＬＦローラ４３およびカード排出ローラ４５の回転が停止されると、カードＣＡは頭出し開口１２８からその先端部が頭出しされた状態で一時停止される。
【００８４】
その後、カードＬＦローラ４３およびカード排出ローラ４５が右側から見て反時計回りに回転される。カードＬＦピンチローラ８３およびカード排出ピンチローラ８５は、右側から見て時計回りに回転する。これにより、カードＣＡは、その搬送方向反転され、後側から前側に向かう方向に搬送される。
【００８５】
カードＣＡは、第１読取部１００および第２読取部６０の間を通過する。このとき、カードＣＡにそれぞれＣＩＳユニット６２，１０２のＬＥＤ光源から光が照射される。そして、カードＣＡでの反射光がＣＩＳユニット６２，１０２のイメージセンサに受けられることにより、カードＣＡの両面に描かれている画像が読み取られる。
【００８６】
第１読取部１００および第２読取部６０の間を通過したカードＣＡの先端部がカード排出ローラ４５の周面とカード排出ピンチローラ８５の周面との当接部分に到達すると、カード排出ローラ４５からカードＣＡに搬送力が付与され、そのカードＣＡがカード排出ローラ４５の周面とカード排出ピンチローラ８５の周面との間に引き込まれる。そして、カード排出ローラ４５とカード排出ピンチローラ８５との間を搬送されるカードＣＡは、カード導入口１２１を通過して、筐体２外に排出される。
【００８７】
このように、カード導入口１２１から導入されたカードＣＡは、筐体２内をスイッチバック搬送され、一対の回動部材４の間およびカード導入口１２１から排出される。
【００８８】
＜作用効果＞
【００８９】
シートＳＨがシート排出口２０２から排出されるときには、シートＳＨの先端で回動部材４が押されて、回動部材４の先端部が持ち上げられることにより、シート排出口２０２が開放される。そのため、シートＳＨのスムーズな排出が一対の回動部材４によって妨げられる可能性を低減でき、シートＳＨがスムーズに排出され得る。
【００９０】
また、回動部材４が閉位置に位置するときには、回動部材４の先端部が下溝部１１５に入り込んでいるので、回動部材４の先端部が手指で触れられる可能性を低減できる。そのため、回動部材４の先端部が使用者の手指で持ち上げられることを抑制できる。その結果、カードＣＡがその長辺を先頭とした向きでカード導入口１２１に挿入されることを抑制できる。
【００９１】
一対の回動部材４が閉位置に位置するときには、各回動部材４がカード導入口１２１を上下方向に横切る。従って、一対の回動部材４の間隔をカードＣＡの短辺の長さに基づいて設計しておくことで、一対の回動部材４が閉位置に位置する状態でカードＣＡが横向きで挿入されるようとすると、カードＣＡの長辺が一対の回動部材４に当接し得る。そのため、カードＣＡが横向きでカード導入口１２１に導入される可能性を低減することが出来る。
【００９２】
回動軸１１１は、上部筐体１４の内部に配置されている。
【００９３】
これにより、回動軸１１１が使用者の手指で回されることを抑制できる。その結果、回動部材４の先端部が持ち上げられることを一層抑制できる。
【００９４】
また、回動軸１１１が上部筐体１４に設けられているので、回動部材４は、重力によって下方に垂れ下がり、通常、閉位置に位置する。よって、回動部材４が開位置に保持されることを抑制できる。
【００９５】
＜変形例＞
【００９６】
以上、本発明の一実施形態について説明したが、本発明は、他の形態で実施することもできる。
【００９７】
たとえば、前述の実施形態では、下溝部１１５が下部筐体１３に形成され、回動部材４の回動軸１１１が上部筐体１４に設けられた構成を取り上げた。しかしながら、回動部材の回動軸が下部筐体１３に設けられ、回動部材の先端部が入り込む溝部が上部筐体１４に形成されてもよい。
【００９８】
また、前述の実施形態では、一対の回動部材４が備えられた構成を取り上げた。しかしながら、１つの回動部材４が設けられる構成であってもよい。この場合、回動部材４は、シート排出口２０２の右端縁からの距離が国際規格ＩＤ−１のカードサイズの短辺の長さ以上でそのカードサイズの長辺の長さ未満である位置に配置されることが好ましい。回動部材４がそのような位置に配置されることにより、カードＣＡが横向きでカード導入口１２１に挿入されることを抑制できる。
【００９９】
さらに、前述の実施形態では、カード導入口１２１の下側の一部が、図２に示すように、シート排出口２０２の右側の一部と重複していた。しかし、これに限らず、たとえば、カード導入口１２１の全領域が、シート排出口２０２の右側の一部と重複していてもよい。また、たとえば、シート排出口２０２の右側の一部とカード導入口１２１の左側の一部とが重複していてもよい。
【０１００】
また、前述の実施形態では、カード導入口１２１は、カードＣＡが排出されるカード排出口を兼ねており、カード導入口１２１から導入されるカードＣＡは、カード搬送路１２４を後方へ搬送された後、前方へ搬送されて、カード導入口１２１から排出されていた。しかし、これに限らず、たとえば、カード導入口１２１から導入されたカードＣＡがカード搬送路１２４を後方へ搬送され、開口１２８からそのまま装置外へ排出されてもよい。この場合、第１読取部１００および第２読取部６０は、カードＣＡがカード搬送路１２４を後方へ搬送されている過程でカードＣＡの画像を読み取ればよい。
【符号の説明】
【０１０１】
１      画像読取装置
２      筐体
４      回動部材
１３    下部筐体
１３Ｆ  前面
１３Ｕ  上面
１４    上部筐体
１４Ｂ  下面
３３    傾斜部
６２    ＣＩＳユニット
７３    傾斜部
１０２  ＣＩＳユニット
１１１  回動軸
１１４  先端部
１１５  下溝部
１２１  カード導入口
１２２  カード通過口
１２４  カード搬送路
２０１  シート導入口
２０２  シート排出口
２０３  シート搬送路
ＣＡ    カード
ＳＨ    シート
ＣＰ    共通パス
ＩＰ    独立パス
【図１Ａ】
2014069924.tif 000003
【図１Ｂ】
2014069924.tif 000004
【図２】
2014069924.tif 000005
【図３】
2014069924.tif 000006
【図４】
2014069924.tif 000007
【図５】
2014069924.tif 000008